(57)【要約】【課題】  配送関連帳票等の帳票部と配送伝票本体部を備えた配送伝票において、帳票部と配送伝票本体部を区分する部分の加工を容易に行うことが可能な配送伝票を提供する。【解決手段】  配送伝票本体部２ｄと帳票部２ｃに区分された表面基材２が中間基材６と接着されているとともに、中間基材６が粘着剤層７を介して剥離基材９に貼り合わされており、配送伝票本体部２ｄの一部である配達票２ａに対応する部分の表面基材２と中間基材６が剥離可能に擬似接着されており、中間基材６と剥離基材９は、配送伝票本体部２ｄと帳票部２ｃを区分するミシン目Ｍと重なる所定の範囲において接着剤層１０を介して接着されていることを特徴とする。【選択図】  図１
2015231704.tif 000002
【特許請求の範囲】
【請求項１】
配送伝票本体部と帳票部に区分された表面基材が中間基材と接着されているとともに、前記中間基材が剥離基材に貼り合わされており、前記配送伝票本体部の一部である配達票に対応する部分の表面基材と中間基材が剥離可能に擬似接着された配送伝票であって、
前記中間基材と前記剥離基材は、前記配送伝票本体部と前記帳票部を区分する区分線と平面方向において重なる少なくとも所定の範囲において、接着剤層を介して接着されていることを特徴とする配送伝票。
【請求項２】
前記中間基材と前記剥離基材は、前記所定の範囲以外において、粘着剤層を介して貼り合されていることを特徴とする請求項１に記載の配送伝票。
【請求項３】
前記所定の範囲は、区分線と直交する方向の幅が５ｍｍ以上３０ｍｍ以下であることを特徴とする請求項１または請求項２に記載の配送伝票。
【請求項４】
前記配送伝票本体部に対応する部分の中間基材と前記剥離基材は、前記所定の範囲を除いて粘着剤層を介して貼り合されており、前記帳票部に対応する部分の中間基材と前記剥離基材は、接着剤層を介して貼り合されていることを特徴とする請求項１に記載の配送伝票。
【請求項５】
前記区分線は、ミシン目により形成されていることを特徴とする請求項１から請求項４のいずれか一項に記載の配送伝票。
【発明の詳細な説明】
【技術分野】
【０００１】
本発明は、宅配荷物や配送商品を配送業者が配送する際に、配送物に貼付して使用する配送伝票に関する。
【背景技術】
【０００２】
近年、一枚の伝票用紙上に複数種類の伝票を配列させて、各伝票を同時にプリンタ印字したものを組とする１パート形式の配送伝票（以下、１パート配送伝票という）が多く利用されるようになってきている。
【０００３】
その代表的な１パート配送伝票は、剥離紙、粘着剤層、中間基材の順に積層されてなるタックシートの粘着剤層の形成された面（タックシート裏面）と反対側の面（タックシート表面）に接着剤層を介して配達票と貼付票とを面状に配置して形成する伝票用紙が設けられ、少なくともその配達票はタックシート表面から剥離可能な構造を有している。
【０００４】
１パート配送伝票は、上記のように一枚の伝票用紙上に配達票と貼付票が設けられているので、コンピュータで管理されている配送情報に基づき、お届け先情報、依頼元情報、その他バーコード等の管理用の情報などを、プリンタで配送伝票上の所定箇所に高速で印字することが可能である。その使用に当たっては、事前に所定事項がプリンタで印字された１パート配送伝票を用意し、当該１パート配送伝票を構成するタックシート裏面の剥離紙を剥がし、粘着剤層を介して所定の配送物に貼付する。
【０００５】
このような基本的な機能を有する配送伝票に、配送物の納品書や商品明細書のような配送時に使用される配送伝票以外の帳票である配送関連帳票が追加された形態のものも提案されている（特許文献１参照）。
【先行技術文献】
【特許文献】
【０００６】
【特許文献１】特開２０１０−１１５８８６号公報
【発明の概要】
【発明が解決しようとする課題】
【０００７】
しかしながら、上記特許文献１に記載の配送伝票では、配送伝票本体部と配送関連帳票の間にスリットを施す際、最下層の台紙と中間の伝票基材を接着している粘着剤部分まで、スリット刃が達する。このため、スリット刃のベタツキや、スリット刃へのカスの蓄積が生じるという問題がある。
【０００８】
そこで、本発明は、配送関連帳票等の帳票部と配送伝票本体部を備えた配送伝票において、帳票部と配送伝票本体部を区分する部分の加工を容易に行うことが可能な配送伝票を提供することを課題とする。
【課題を解決するための手段】
【０００９】
上記課題を解決するため、請求項１の配送伝票は、配送伝票本体部と帳票部に区分された表面基材が中間基材と接着されているとともに、前記中間基材が剥離基材に貼り合わされており、前記配送伝票本体部の一部である配達票に対応する部分の表面基材と中間基材が剥離可能に擬似接着された配送伝票であって、前記中間基材と前記剥離基材は、前記配送伝票本体部と前記帳票部を区分する区分線と平面方向において重なる少なくとも所定の範囲において、接着剤層を介して接着されていることを特徴とする。
【００１０】
請求項１の配送伝票によれば、配送伝票本体部と帳票部に区分された表面基材が中間基材と接着されているとともに、中間基材が剥離基材に貼り合わされており、配送伝票本体部の一部である配達票に対応する部分の表面基材と中間基材が剥離可能に擬似接着された配送伝票であって、中間基材と剥離基材は、配送伝票本体部と帳票部を区分する区分線と重なる少なくとも所定の範囲において接着剤層を介して接着されているので、区分線を加工する刃が、粘着剤に接することがなくなり、帳票部と配送伝票本体部を区分する部分の加工を容易に行うことが可能となる。
【００１１】
また、請求項２の配送伝票は、前記中間基材と前記剥離基材は、前記所定の範囲以外において、粘着剤層を介して貼り合されていることを特徴とする。請求項２の配送伝票によれば、帳票部に対応する部分の中間基材と剥離基材は、粘着剤層を介して貼り合されているので、従来の帳票部を備えた配送伝票と基本的な構造を大きく変えることなく、帳票部と配送伝票本体部を区分する部分の加工を容易に行うことが可能な配送伝票を提供することができる。
【００１２】
また、請求項３の配送伝票は、前記所定の範囲は、区分線と直交する方向の幅が５ｍｍ以上３０ｍｍ以下であることを特徴とする。請求項３の配送伝票によれば、接着剤層を介して接着されている範囲が、区分線と直交する方向の幅が５ｍｍ以上の範囲であるので、区分線を加工する刃の幅や作業精度を考慮しても、区分線を加工する刃に粘着剤が付着するのを防ぐことが可能となる。また、接着剤層を介して接着されている範囲が、区分線と直交する方向の幅が３０ｍｍ以下の範囲であるので、粘着剤による領域を広く保ったままとすることができる。
【００１３】
また、請求項４の配送伝票は、前記配送伝票本体部に対応する部分の中間基材と前記剥離基材は、前記所定の範囲を除いて粘着剤層を介して貼り合されており、前記帳票部に対応する部分の中間基材と前記剥離基材は、接着剤層を介して貼り合されていることを特徴とする。請求項４の配送伝票によれば、配送伝票本体部に対応する部分の中間基材と剥離基材は、所定の範囲を除いて粘着剤層を介して貼り合されており、帳票部に対応する部分の中間基材と前記剥離基材は、接着剤層を介して貼り合されているので、区分線と平面方向において重なる所定の範囲も含めて、帳票部に対応する部分の接着剤層を一括して形成することができ、効率的に製造を行うことが可能となる。
【００１４】
また、請求項５の配送伝票は、前記区分線は、ミシン目により形成されていることを特徴とする。請求項５の配送伝票によれば、区分線が、ミシン目により形成されているので、全ての層を貫通するようにミシン目を形成することができ、配送伝票本体部と帳票部を簡易に分離することができる。
【発明の効果】
【００１５】
本発明によれば、配送関連帳票部と配送伝票部を備えた配送伝票において、配送関連帳票部と配送伝票部を区分する部分の加工を容易に行うことが可能となる。
【図面の簡単な説明】
【００１６】
【図１】本発明の一実施形態に係る配送伝票を示す図である。
【図２】本発明の一実施形態に係る配送伝票の断面図である。
【発明を実施するための形態】
【００１７】
以下、本発明の好適な実施形態について、図面を参照して詳細に説明する。
＜１．配送伝票の形態＞
図１、図２は、本発明の一実施形態に係る配送伝票を示す図である。このうち、図１（ａ）は表面側の平面図、図１（ｂ）は図１（ａ）におけるＡ−Ａに対応する断面図、図２は図１（ａ）におけるＢ−Ｂに対応する断面図である。図１（ｂ）、図２において表現された、各層の厚みの比率、平面方向に対する厚みの比率は、説明の便宜上、実際のものとは異なっている。
【００１８】
図１に示すように、本実施形態に係る配送伝票１は、表面に配送情報記入部（図示省略）が印字された配達票２ａと、表面に配送情報記入部（図示省略）が印字された貼付票２ｂと、帳票部２ｃが配置された表面基材２が最上層（図１（ａ）において手前側、図１（ｂ）において上端、図２において左端）に設けられている。配送伝票１のどちらの面を表面、裏面と定義してもよいが、本実施形態においては、配送情報記入部が印字され、配送物に貼付した際に表出する側の面、すなわち、図１（ａ）に示した面を表面、他方を裏面として説明することにする。この表面基材２は、図１（ａ）に示すように、天地方向（縦方向、図面上下方向）に形成されたミシン目Ｍにより配送伝票本体部２ｄ（配達票２ａおよび貼付票２ｂ）と、帳票部２ｃに分離可能に区分されている。このミシン目Ｍは、配送伝票本体部２ｄと帳票部２ｃを区分する区分線としての役割を果たしている。また、配送伝票本体部２ｄは、横方向（図面左右方向）に形成されたハーフカットＨにより配達票２ａと貼付票２ｂに分離可能に区分されている。図１（ａ）の例では、配達票２ａの左下端が剥離開始点となっている。なお、ハーフカットとは、複数の層のうち全ての層でなく一部の層のみをカット（スリットともいう）した切込みである。
【００１９】
図１（ｂ）のＡ−Ａ断面図に示すように、配達票２ａ（表面基材２）の下層（図面下方向）には、剥離層３、接着剤層４を介して、裏面に粘着剤層７が設けられた中間基材６が重ね合わされており、粘着剤層７の下層には、剥離層８が形成された剥離基材９が中間基材６側と剥離可能な状態で積層されている。剥離層３および接着剤層４は、擬似的に接着し、容易に剥離可能な擬似接着層を形成している。本実施形態では、粘着剤層７は、ベタ状で塗布されているが、網点等によりドット状にパターン塗布してもよい。なお、本明細書において「上層」「下層」とは、表面基材２を最上層、剥離基材９を最下層とした場合における各層の相対的な上下関係を示している。粘着剤層７は、配送伝票本体部２ｄの下層と帳票部２ｃの下層で異なる態様で塗布してもよく、例えば、配送伝票本体部２ｄの下層においてはベタ状、帳票部２ｃの下層においてはドット状とすることもできる。
【００２０】
また、図１（ｂ）のＡ−Ａ断面図に示すように、帳票部２ｃの下層（図面下方向）においては、接着剤層４のみを介して、裏面に粘着剤層７が設けられた中間基材６が重ね合わされている。また、粘着剤層７の下層には、剥離基材９が直接積層されている。配達票２ａの下層と比較すると、表面基材２の下層側の面に剥離層３が形成されておらず、剥離基材９の上層側の面に剥離層８が形成されていない点で異なる。このため、配達票２ａは、剥離層３の剥離作用により中間基材６と剥離可能であるが、帳票部２ｃは、基材等を破損せずに中間基材６と剥離することが困難になっている。また、配達票２ａの下層においては、剥離層８の剥離作用により剥離基材９が中間基材６と剥離可能であるが、帳票部２ｃの下層においては、基材等を破損せずに剥離基材９を中間基材６と剥離することが困難になっている。
【００２１】
また、図２のＢ−Ｂ断面図に示すように、貼付票２ｂ（表面基材２）の下層（図面右方向）では、中間基材６、粘着剤層７、剥離層８、剥離基材９の構成は、配達票２ａの下層と同じである。しかし、貼付票２ｂ（表面基材２）の下層では、帳票部２ｃの下層と同様、剥離層３を設けず、接着剤層４のみを介して、裏面に粘着剤層７が設けられた中間基材６が重ね合わされている。このため、貼付票２ｂは、帳票部２ｃと同様、基材等を破損せずに中間基材６と剥離することが困難になっている。本実施形態では、配達票２ａ、貼付票２ｂ、帳票部２ｃの下層の接着剤層４に用いられる接着剤として、全て同一のものを採用しているが、互いに異なるものを採用しても良い。また、図２のＢ−Ｂ断面図に示すように、ハーフカットＨは、表面基材２を貫通し、中間基材６には達しないように形成されている。
【００２２】
再び図１に戻るが、本実施形態に係る配送伝票には、図１（ａ）に示すように、区分線としてミシン目Ｍが形成され、配送伝票本体部２ｄと帳票部２ｃを区分している。このミシン目Ｍは、図１（ｂ）に示すように、表面基材２から剥離基材９までの全ての層を貫通するように形成されている。そして、中間基材６と剥離基材９の間においては、図１（ｂ）に示すように、ミシン目Ｍと平面方向において重なる範囲で、所定幅（横方向、図面左右方向）に渡って接着剤層１０が形成されている。
【００２３】
接着剤層１０は、中間基材６と剥離基材９の間において、ミシン目Ｍと重なる位置に天地方向に渡って形成されている。したがって、図１（ａ）のように表面方向から見ると、破線で示したミシン目Ｍに重ねて所定幅で形成されることになる。図１（ｂ）に示した接着剤層１０の幅（横方向、図面左右方向）は、５ｍｍ以上３０ｍｍ以下であることが好ましく、１０ｍｍ以上２０ｍｍ以下であることがより好ましい。接着剤層を介して接着されている範囲が、区分線と直交する方向の幅が５ｍｍ（特に１０ｍｍ）以上である場合、区分線を加工する刃の幅や作業精度を考慮しても、区分線を加工する刃に粘着剤が付着するのを防ぐことが可能となる。また、接着剤層を介して接着されている範囲が、区分線と直交する方向の幅が３０ｍｍ（特に２０ｍｍ）以下である場合、粘着剤による領域を広く保ったままとすることができる。本実施形態では、接着剤層１０に用いられる接着剤として、接着剤層４に用いられる接着剤と同一のものを採用しているが、互いに異なるものを採用しても良い。
【００２４】
＜２．配送伝票の製造＞
本実施形態に係る配送伝票１は、表面基材２、剥離層３、接着剤層４により構成される１枚目シートと、中間基材６、粘着剤層７、剥離基材８により構成される２枚目シートを貼り合わせた構成となっている。２枚目シートは、タック構造を有するタックシートである。
【００２５】
製造工程においては、１枚目シートには、表面基材２を貫通するハーフカット加工を行ってハーフカットＨを形成する。一方、２枚目シートには、中間基材６の表面に絵柄等の印刷を行う。その後、１枚目シートと２枚目シートの４つの角を合わせて貼り合わせる。貼り合せた後、天地方向（図中上下方向）に渡って、１枚目シートと２枚目シートの全ての層を貫通するミシン目加工Ｍを行う。
【００２６】
＜３．各層の組成＞
表面基材２としては、充分な強度とプリンタによる印字適性及び搬送適性を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであっても良い。表面基材２の厚さは２０〜２００μｍ程度が好ましい。さらに、控票などを配送伝票の上に重ねた場合に、複写特性をもたせるために、ロイコ系染料などからなる感熱発色層を設けても良い。
【００２７】
中間基材６としては、表面基材２と同様の紙や樹脂フィルムが用いられる。本実施形態では、中間基材６に絵柄や説明文を印刷するため、一般印刷適性を備えたものを用いている。
【００２８】
上記剥離層３、接着剤層４、粘着剤層７、接着剤層１０は、本発明に係る配送伝票に適したものであれば、その組成については特に限定されるものではないが、好ましい例を以下に列挙する。
【００２９】
剥離層３としては、配達票２ａが中間基材６から容易に剥離できるような接着性の低いものを使用することが好ましい。剥離層の形成には、例えば、オフセット印刷用の紫外線硬化型インキにシリコーンゴムを添加したものや、シリコーンアクリレートを添加したものを使用する。通常の熱硬化型剥離インキを使用することもできる。また、剥離ニスを使用することも可能である。さらに、必要に応じて、酸化防止剤、熱安定剤、紫外線吸収剤、スリップ剤、帯電防止剤、防曇剤、着色剤、フィラー等が添加されていても良い。剥離層を形成するための塗布量・塗布厚は特に限定されないが、好ましくは、塗布厚は０．１〜１０μｍである。
【００３０】
接着剤層４、接着剤層１０における接着剤としては、例えば、ウレタン系、アクリル系、酢酸ビニル系、エチレン−酢酸ビニル共重合体、塩化ビニル−酢酸ビニル共重合体、セルロース樹脂等の熱可塑性樹脂、またはこれらの混合物からなる樹脂を使用することができる。接着剤の塗布は、フレキソ法、グラビア法などの公知の印刷法又はコーティング法によって、厚み０．１〜５０μｍ程度に塗布し、貼り合わせ後に、必要に応じて乾燥させる。配達票２ａの下層においては、剥離層３の厚み分だけ、貼付票２ｂ、帳票部２ｃの下層よりも薄く接着剤が塗布される。表面基材２と中間基材６は、接着剤（又は樹脂）が乾燥していない状態で貼り合わせるウェット又はセミウェットラミネート方式、熱圧着方式や感圧方式によって貼り合わせる。
【００３１】
粘着剤層７は、配送物に配送伝票を貼付可能とする層であり、アクリル系粘着剤が最も好ましいが、天然ゴム系粘着剤、合成ゴム系粘着剤、シリコーンゴム系粘着剤等でも良い。粘着剤層７を形成するための粘着剤の塗布量・塗布厚は特に限定されないが、好ましくは、塗布量は０．１〜５０ｇ／ｍ2であり、塗布厚は０．１〜５０μｍである。配送物等の被着体に対する粘着剤層７の接着力は、配達票２ａの下層における、剥離層３と接着剤層４による疑似接着層の接着力よりも大きくする必要があり、配送物等の被着体に応じて、適宜、調整が必要である。
【００３２】
中間基材６の表面側（接着剤層４と接する側）には、目止め層を形成しておくことも可能である。この場合、目止め層としては、中間基材６への接着剤の浸透を防止し、接着力を安定させるためのものであれば、公知の様々なものを用いることができる。例えば、公知の塩化ビニル系樹脂、アクリル系樹脂、ウレタン系樹脂、ポリエステル系樹脂、ポリアミド系樹脂、セルロース誘導体等の熱可塑性樹脂、熱硬化性樹脂、反応型樹脂やこれらの混合物が使用できる。必要に応じて添加剤を加え、公知の印刷法又はコーティング法によって塗布する。
【００３３】
＜４．配送伝票の使用＞
次に、本実施形態に係る配送伝票の使用方法について説明する。まず、全ての層に渡って形成されたミシン目Ｍを利用して、帳票部２ｃを、その下層まで全て配送伝票本体部２ｄと分離する。そして、明細書、納品書等の役割を果たす帳票部を配送物内に封入する。続いて、配送伝票本体部２ｄの下層において、剥離基材９を中間基材６から剥がす。その後、従来と同様、粘着剤層７を介して配送物に貼付する。
【００３４】
以上、本発明の好適な実施形態について説明したが、本発明は上記実施形態に限定されず、種々の変形が可能である。例えば、上記実施形態では、区分線としてミシン目Ｍを形成したが、ハーフカット加工によりハーフカットを形成するようにしてもよい。この場合、ハーフカットは、剥離基材９に達しないように、表面基材２側から形成する。
【００３５】
また、上記実施形態では、図１（ｂ）の断面図に示したように、帳票部２ｃの下層においては、中間基材６と剥離基材９が粘着剤層７により貼り合されているが、粘着剤層７に代えて接着剤層を設け、接着剤により接着するようにしてもよい。この場合の接着剤層における接着剤は、接着剤層４、１０と同一のものを採用してもよいし、異なるものを採用しても良い。
【符号の説明】
【００３６】
１・・・配送伝票
２・・・表面基材
２ａ・・・配達票
２ｂ・・・貼付票
２ｃ・・・帳票部
２ｄ・・・配送伝票本体部（配達票２ａおよび貼付票２ｂ）
３・・・剥離層
４・・・接着剤層
６・・・中間基材
７・・・粘着剤層
８・・・剥離層
９・・・剥離基材
１０・・・接着剤層
Ｈ・・・ハーフカット
Ｍ・・・ミシン目（区分線）
【図１】
2015231704.tif 000003
【図２】
2015231704.tif 000004